(57)【要約】  本発明は挟み込み防止ユニットに関するもので、本発明による下面にフロアヒンジが連結されるとともに、上部面がドア枠の水平フレームにヒンジ連結されて、ヒンジ軸の周りに回転するドアと、上記水平フレーム及び、壁体に固定される一対の垂直フレームを有するドア枠とに連結される挟み込み防止ユニットは、前記ドア枠の垂直フレームに固定されて連結されるドア枠接触面と、第１曲率半径の第１凹曲面とを備えるとともに、少なくとも一面が凹んだ三角形断面または四角形断面を有する柱形状を有し、前記ドアの回転時、前記第１凹曲面が前記ドアの側面に対向するように連結されるドア枠挟み込み防止ユニットと；前記ドアの前面また後面の縁部に固定されて連結されるドア接触面と、前記第１曲率半径より小さい第２曲率半径の第１凸曲面とを備えるとともに、少なくとも一面が突出された三角形断面または四角形断面を有する柱形状を有し、前記ドアが回転時、前記垂直フレームが前記第１凸曲面に対向するように連結されるドア挟み込み防止ユニットと；を備える。本発明によれば、ドア枠とドアとの間に体の一部が挟まれることを防止して事故を防止または最小化することができ、ドアとドア枠との間の隙間を通じて漏出するエネルギーの浪費を防止または最小化することができる。また、ドアの回転軸の変更またはドアの回転半径の変更に対応して回転軸や回転半径が異なる全てのドアに曲率または曲率半径を変更して連結されることができる長所がある。
2015519495.tif 000002
【特許請求の範囲】
【請求項１】
下面にフロアヒンジが連結されるとともに、上面がドア枠の水平フレームにヒンジ連結されてヒンジ軸の周りに回転するドアと、前記水平フレーム及び、壁体に固定される一対の垂直フレームを有するドア枠とに連結される挟み込み防止ユニットであって、
前記ドア枠の垂直フレームに固定されて連結されるドア枠接触面と、第１曲率半径を有する第１凹曲面とを備えるとともに、少なくとも一面が凹んだ三角形断面または四角形断面を有する柱形状を有し、前記ドアの回転時、前記第１凹曲面が前記ドアの側面に対向するように連結されるドア枠挟み込み防止ユニットと；
前記ドアの前面または後面の縁部に固定されて連結されるドア接触面と、前記第１曲率半径より小さい第２曲率半径の第１凸曲面とを備えるとともに、少なくとも一面が突出した三角形断面または四角形断面を有する柱形状を有し、前記ドアの回転時、前記垂直フレームが前記第１凸曲面に対向するように連結されるドア挟み込み防止ユニットと；
を備えることを特徴とする挟み込み防止ユニット。
【請求項２】
前記第１曲率半径が、前記ヒンジ軸から前記垂直フレームまでの最短距離と同一であるか、または前記最短距離より所定の長さだけ長い長さであり、前記第２曲率半径が、前記ヒンジ軸の周りに回転する前記ドアの回転半径と同一であるか、または前記回転半径より所定の長さだけ短い長さであることを特徴とする請求項１に記載の挟み込み防止ユニット。
【請求項３】
前記ヒンジ軸の変更によりドアの回転半径が変化する場合に、前記第１曲率半径及び前記第２曲率半径が、前記ヒンジ軸の変化または前記ドアの回転半径の変化に対応して大きくなり、または小さくなることを特徴とする請求項１または請求項２に記載の挟み込み防止ユニット。
【請求項４】
前記挟み込み防止ユニットは、前記ヒンジ軸が移動して前記ドアの回転半径が小さくなった場合に、前記ドア枠挟み込み防止ユニットに付加的に連結される第１付加ドア枠ユニットを更に備え、
前記第１付加ドア枠ユニットは、前記第１付加ドア枠ユニットが前記第１凹曲面の全体または一部に接触して連結されるように前記第１曲率半径の凸曲面を有する第１凹曲面接触面と、前記第１曲率半径より小さい第３曲率半径の第２凹曲面とを備え、前記第１付加ドア枠ユニットは、一面が凹み、一面が突出した三角形断面または四角形断面を有する柱形状を有することを特徴とする請求項１または請求項２に記載の挟み込み防止ユニット。
【請求項５】
前記第１凹曲面接触面が係合突起を備え、前記第１凹曲面は前記係合突起が係合して連結される係合溝を備え、それにより、前記第１凹曲面接触面が前記第１凹曲面に係合して連結され、または、前記第１凹曲面接触面と前記第１凹曲面とが接着材料により互いに接着されることを特徴とする請求項４に記載の挟み込み防止ユニット。
【請求項６】
前記挟み込み防止ユニットは、前記ヒンジ軸が移動して前記ドアの回転半径が小さくなった場合に、前記第１付加ドア枠ユニットに付加的に連結される第２付加ドア枠ユニットを更に備え、
前記第２付加ドア枠ユニットは、前記第２付加ドア枠ユニットが前記第２凹曲面の全体または一部に接触して連結されるように前記第３曲率半径の凸曲面を有する第２凹曲面接触面と、前記第３曲率半径より小さい第４曲率半径の第３凹曲面とを備え、前記第２付加ドア枠ユニットは、一面が凹み、一面が突出した三角形断面または四角形断面を有する柱形状を有し、
前記第２凹曲面接触面が係合突起を備え、前記第２凹曲面は前記係合突起が係合して連結される係合溝を備え、それにより、前記第２凹曲面接触面が前記第２凹曲面に係合して連結され、または、前記第２凹曲面接触面と前記第２凹曲面とが接着材料により互いに接着されることを特徴とする請求項５に記載の挟み込み防止ユニット。
【請求項７】
前記挟み込み防止ユニットは、前記ヒンジ軸が移動して前記ドアの回転半径が大きくなった場合に、前記ドア挟み込み防止ユニットに付加的に連結される第１付加ドアユニットを更に備え、
前記第１付加ドアユニットは、前記第１付加ドアユニットが前記第１凸曲面の全体または一部に接触して連結するように前記第２曲率半径の凹曲面を有する第１凸曲面接触面と、前記第２曲率半径より大きい第５曲率半径の第２凸曲面とを備え、前記第１付加ドアユニットは、一面が突出し、一面が凹んだ三角形断面または四角形断面を有する柱形状を有することを特徴とする請求項１または請求項２に記載の挟み込み防止ユニット。
【請求項８】
前記第１凸曲面接触面が係合突起を備え、前記第１凸曲面は前記係合突起が係合して連結される係合溝を備え、前記第１凸曲面接触面が前記第１凸曲面に係合して連結され、または、前記第１凸曲面接触面と前記第１凸曲面とが接着材料により互いに接着されることを特徴とする請求項７に記載の挟み込み防止ユニット。
【請求項９】
前記挟み込み防止ユニットは、前記ヒンジ軸が移動して前記ドアの回転半径が大きくなった場合に、前記第１ドア付加ユニットに付加的に連結される第２付加ドアユニットを更に備え、
前記第２付加ドアユニットは、前記第２付加ドアユニットが前記第２凸曲面の全体または一部に接触して連結されるように前記第５曲率半径の凹曲面を有する第２凸曲面接触面と、前記第５曲率半径より大きい第６曲率半径の第３凸曲面とを備え、前記第２付加ドアユニットは、一面が突出し、一面が凹んだ三角形断面または四角形断面を有する柱形状を有し、
前記第２凸曲面接触面が係合突起を備え、前記第２凸曲面は前記係合突起が係合して連結される係合溝を備え、それにより、前記第２凸曲面接触面が前記第２凸曲面に係合して連結され、または、前記第２凸曲面接触面と前記第２凸曲面とが接着材料により互いに接着されることを特徴とする請求項８に記載の挟み込み防止ユニット。
【請求項１０】
下面にフロアヒンジが連結されるとともに、上面がドア枠の水平フレームにヒンジ連結されてヒンジ軸の周りに回転するドアと、前記水平フレーム及び、壁体に固定される一対の垂直フレームを有するドア枠とに連結される挟み込み防止ユニットであって：
前記ドア枠の垂直フレームに連結されるドア枠接触面を有するドア枠接触部材と、全体または一部の曲率（ｃｕｒｖａｔｕｒｅ）が変更可能な可変凹曲面を有する凹部材と、第１付加面を有する第１付加部材とを備え、少なくとも一面が凹んだ三角形断面または四角形断面で第１内部空間を有する一体的な柱形状を有し、ヒンジ軸が異なるドアに適用する時、前記可変凹曲面の全体または一部の曲率を変化させるために、前記第１内部空間に少なくとも一つの第１曲率調節部材を備えるドア枠挟み込み防止ユニットと；
前記ドアの前面または後面の縁部に連結されるドア接触面を有するドア接触部材と、全体または一部の曲率（ｃｕｒｖａｔｕｒｅ）が変更可能な可変凸曲面を有する凸部材と、第２付加面を有する第２付加部材とを備え、少なくとも一面が突出した三角形断面または四角形断面で、第２内部空間を有する一体的な柱形状を有し、ヒンジ軸が異なるドアに適用する時、前記可変凸曲面の全体または一部の曲率を変化させるために、前記第２内部空間に少なくとも一つの第２曲率調節部材を備えるドア挟み込み防止ユニット；
を備えることを特徴とする挟み込み防止ユニット。
【請求項１１】
前記ドア枠接触部材、前記凹部材、前記第１付加部材、前記ドア接触部材、前記凸部材、及び前記第２付加部材が、屈曲可能な軟質材料を有するか、または、前記ドア枠接触部材及び前記ドア接触部材が硬質材料を有するとともに、前記凹部材、前記第１付加部材、前記凸部材、及び前記第２付加部材が軟質材料を有することを特徴とする請求項１０に記載の挟み込み防止ユニット。
【請求項１２】
前記少なくとも一つの第１曲率調節部材は、
前記第１内部空間を形成する前記ドア枠接触部材の内面に形成され、第１ねじ孔を有する第１突起と；
前記ドア枠接触部材の内面に形成され、前記第１突起から所定の間隔をおいて隔離して位置し、第２ねじ孔を有する第２突起と；
前記ドア枠接触部材の内面に対向し、前記凹部材が前記第１付加部材に接触する頂点付近の内部に形成された第１連結溝と；
一端が前記第１連結溝に連結される第１連結突起を有し、他端が第３ねじ孔を有するとともに前記第１突起と前記第２突起の間に挿入され、屈曲しない硬質材料からなる第１内部調節部材と；
前記第１付加部材を通過し、前記第１ねじ孔、前記第２ねじ孔及び前記第３ねじ孔に挿入される第１調節ねじ
を備え、
前記第１調節ねじを締めたり緩めたりする動作によって、前記第１内部調節部材の他端部が前記第１突起と前記第２突起との間で移動するようにし、これに対応して前記第１内部調節部材の一端部が前記他端部の移動方向と反対方向に移動することによって前記可変凹曲面の曲率を調節することを特徴とする請求項１１に記載の挟み込み防止ユニット。
【請求項１３】
前記少なくとも一つの第２曲率調節部材は、
前記第２内部空間を形成する前記ドア接触部材の内面に形成され、第４ねじ孔を有する第３突起と；
前記ドア接触部材の内面に形成され、前記第３突起から所定の間隔をおいて隔離して位置し、第５ねじ孔を有する第４突起と；
前記ドア接触部材の内面に対向し、前記凸部材が前記第２付加部材に接触する頂点付近の内部に形成された第２連結溝と；
一端が前記第２連結溝に連結される第２連結突起を有し、他端が第６ねじ孔を有するとともに、前記第３突起と前記第４突起との間に挿入され、屈曲しない硬質材料からなる第２内部調節部材と；
前記第２付加面を通過し、前記第４ねじ孔、前記第５ねじ孔及び前記第６ねじ孔に挿入された第２調節ねじ
を備え、
前記第２調節ねじを締めたり緩めたりする動作によって、前記第２内部調節部材の他端部が前記第３突起と前記第４突起との間で移動するようにし、これに対応して前記第２内部調節部材の一端部が前記他端部の移動方向と反対方向に移動するようにすることによって前記可変凸曲面の曲率を調節することを特徴とする請求項１１に記載の挟み込み防止ユニット。
【請求項１４】
前記凹部材の一部及び前記第１付加部材の一部は伸縮可能な波形構造を有し、前記第１調節ねじを締めたり緩めたりする動作によって伸縮されることを特徴とする請求項１２に記載の挟み込み防止ユニット。
【請求項１５】
前記第１突起と前記第１内部調節部材との間、または前記第２突起と前記第１内部調節部材との間には弾性スプリングが更に設けられることを特徴とする請求項１２に記載の挟み込み防止ユニット。
【請求項１６】
前記凸部材の一部及び前記第２付加面の一部は伸縮可能な波形構造を有し、前記第２調節ねじを締めたり緩めたりする動作によって伸縮されることを特徴とする請求項１３に記載の挟み込み防止ユニット。
【請求項１７】
前記第３突起と前記第２内部調節部材との間、または前記第４突起と前記第２内部調節部材との間には弾性スプリングが更に設けられることを特徴とする請求項１３に記載の挟み込み防止ユニット。
【発明の詳細な説明】
【技術分野】
【０００１】
本発明は挟み込み防止ユニットに関するもので、より詳しくは、ドアが開いたり閉まったりする場合、ドアの縁部とドア枠の内側面の間に使用者または他人の指や体の一部が挟み込まれるなどの事故を防止することができる挟み込み防止ユニット及び挟み込み防止ユニットを有するドアに関するものである。
【背景技術】
【０００２】
一般に、建物の出入口や建物の内部には、きれいで洗練された見掛けを強調しながら、玄関に自然光が透過されることができ、透明で耐久性の優れた強化ガラスで構成された多様な形状のドアが設置されている。
【０００３】
図１は一般の強化ガラスドアの構造を示した図である。
図１に示したように、ドアは強化ガラスからなるガラス材１８と、上記ガラス材１８の上部と下部にそれぞれ装着されるドアフレーム１２を具備し、上記ドアフレーム１２はドア枠１４に、上下部の一側がヒンジ１６と連結されて回転可能に設置され、上記ガラス材１８が上記ヒンジ１６を回転軸として回転して上記ドア１０が開閉されるように構成される。
【０００４】
上記ドア１０を開閉する時、上記ガラス材１８とドア枠１４との間に人の指などの一部が挟まれて傷害が発生する事故が頻繁に発生している。
【０００５】
上記ドア１０が閉まっている場合にも、ドア１０の円滑な回転動作のため、上記ガラス材１８とドア枠１４との間には所定間隔の隙間が形成されており、この隙間に体の一部、特に指などが挟まれた状態で上記ガラス材１８が回転する場合、重大事故が発生するおそれがある。またドアを設置した後にも、ドアとドア枠との間に形成された隙間によって暖房や冷房が十分に機能せず、エネルギー浪費の原因になる。
【０００６】
一方、一般のドアの場合、そのサイズや製造会社が異なることによって、ドアの回転中心となるヒンジ軸も異なる。特定サイズを有する挟み込み防止部材を設置しても、ドアの回転半径が異なると、ドアとドア枠との間の隙間が更に大きくなり、又は小さくなって、ドアの回転が困難になる場合もある。
【発明の概要】
【発明が解決しようとする課題】
【０００７】
従って、本発明の目的は、上記のような従来の問題点を克服することができる挟み込み防止ユニットを提供することにある。
本発明の他の目的は、ドア枠とドアとの間に体の一部が挟まれることを防止して、事故を防止または最小化することができる挟み込み防止ユニットを提供することにある。
本発明のまた他の目的は、ドアとドア枠との間の隙間を通じて漏出するエネルギーの浪費を防止または最小化することができる挟み込み防止ユニットを提供することにある。
本発明のまた他の目的は、ドアの回転軸の変更、またはドアの回転半径の変更に対応して連結されることができる挟み込み防止ユニットを提供することにある。
【課題を解決するための手段】
【０００８】
上述した技術的課題の一部を達成するための本発明の具体化によって、本発明による下面にフロアヒンジが連結されるとともに、上面がドア枠の水平フレームにヒンジ連結されてヒンジ軸の周りに回転するドアと、上記水平フレーム及び、壁体に固定される一対の垂直フレームとを有するドア枠に連結されるための挟み込み防止ユニットは、上記ドア枠の垂直フレームに固定されて連結されるドア枠接触面と、第１曲率半径を有する第１凹曲面とを備えるとともに、少なくとも一面が凹んだ三角形断面または四角形断面を有する柱形状を有し、上記ドアの回転時、上記第１凹曲面が上記ドアの側面に対向するように連結されるドア枠挟み込み防止ユニットと；上記ドアの前面または後面の縁部に固定されて連結されるドア接触面と、上記第１曲率半径より小さい第２曲率半径の第１凸曲面とを備えるとともに、少なくとも一面が突出した三角形断面または四角形断面を有する柱形状を有し、上記ドアの回転時、上記垂直フレームが上記第１凸曲面に対向するように連結されるドア挟み込み防止ユニットと；を備える。
【０００９】
上記第１曲率半径は、上記ヒンジ軸から上記垂直フレームまでの最短距離と同一であるかまたは前記最短長さより所定の長さだけ長い長さであり、上記第２曲率半径は、上記ヒンジ軸の周りに回転する上記ドアの回転半径と同一であるか、または前記回転半径より所定の長さだけ短い長さである。
【００１０】
上記ヒンジ軸の変更によりドアの回転半径が変化する場合に、上記第１曲率半径及び上記第２曲率半径は、上記ヒンジ軸の変化または上記ドアの回転半径の変化に対応して大きくなり、または小さくなることができる。
【００１１】
上記挟み込み防止ユニットは、上記ヒンジ軸が移動して上記ドアの回転半径が小さくなった場合に、上記ドア枠挟み込み防止ユニットに付加的に連結される第１付加ドア枠ユニットを更に備え、上記第１付加ドア枠ユニットは、前記第１付加ドア枠ユニットが上記第１凹曲面の全体または一部に接触して連結されるように上記第１曲率半径の凸曲面を有する第１凹曲面接触面と、上記第１曲率半径より小さい第３曲率半径の第２凹曲面とを備え、上記第１付加ドア枠ユニットは、一面が凹み、一面が突出した三角形断面または四角形断面を有する柱形状を有することができる。
【００１２】
上記第１凹曲面接触面は係合突起を備え、上記第１凹曲面は上記係合突起が係合して連結される係合溝を備え、それにより、上記第１凹曲面接触面が上記第１凹曲面と係合して連結され、または、上記第１凹曲面接触面と上記第１凹曲面とが接着材料により接着されることができる。
【００１３】
上記挟み込み防止ユニットは、上記ヒンジ軸が移動して上記ドアの回転半径が小さくなった場合に、上記第１付加ドア枠ユニットに付加的に連結される第２付加ドア枠ユニットを更に備え、上記第２付加ドア枠ユニットは、当該第２付加ドア枠ユニットが上記第２凹曲面の全体または一部に接触して連結されるように上記第３曲率半径の凸曲面を有する第２凹曲面接触面と、上記第３曲率半径よりは小さい第４曲率半径の第３凹曲面を備え、当該第２付加ドア枠ユニットは、一面が凹み、一面が突出した三角形断面または四角形断面を有する柱形状を有し、上記第２凹曲面接触面は係合突起を備え、上記第２凹曲面は上記係合突起が係合して連結される係合溝を備え、上記第２凹曲面接触面が上記第２凹曲面に係合して連結され、または、上記第２凹曲面接触面と上記第２凹曲面とが接着材料により接着されることができる。
【００１４】
上記挟み込み防止ユニットは、上記ヒンジ軸が移動して上記ドアの回転半径が大きくなった場合に、上記ドア挟み込み防止ユニットに付加的に連結される第１付加ドアユニットを更に備え、上記第１付加ドアユニットは、当該第１付加ドアユニットが上記第１凸曲面の全体または一部に接触して連結されるように上記第２曲率半径の凹曲面を有する第１凸曲面接触面と、上記第２曲率半径より大きい第５曲率半径の第２凸曲面とを備え、当該第１付加ドアユニットは、一面が突出し、一面が凹んだ三角形断面または四角形断面を有する柱形状を有することができる。
【００１５】
上記第１凸曲面接触面は係合突起を備え、上記第１凸曲面は上記係合突起が係合して連結される係合溝を備え、上記第１凸曲面接触面が上記第１凸曲面に係合して連結され、または、上記第１凸曲面接触面と上記第１凸曲面とが接着材料により接着されることができる。
【００１６】
上記挟み込み防止ユニットは、上記ヒンジ軸が移動して上記ドアの回転半径が大きくなった場合に、上記第１ドア付加ユニットに付加的に連結される第２付加ドアユニットを更に備え、上記第２付加ドアユニットは、当該第２付加ドアユニットが上記第２凸曲面の全体または一部に連結されるように上記第５曲率半径の凹曲面を有する第２凸曲面接触面と、上記第５曲率半径より大きい第６曲率半径の第３凸曲面とを備え、当該第２付加ドアユニットは、一面が突出し、一面が凹んだ三角形断面または四角形断面を有する柱形状を有し、上記第２凸曲面接触面は係合突起を備え、上記第２凸曲面は上記係合突起が係合連結される係合溝を備え、上記第２凸曲面接触面が上記第２凸曲面に係合して連結され、または、上記第２凸曲面接触面と上記第２凸曲面とが接着材料により接着されることができる。
【００１７】
上記技術的課題の一部を達成するための本発明の具体化によって、本発明による下面にフロアヒンジが連結されるとともに、上面がドア枠の水平フレームにヒンジ連結されて、ヒンジ軸の周りに回転するドアと、上記水平フレーム及び、壁体に固定される一対の垂直フレームを有するドア枠に連結される挟み込み防止ユニットは、上記ドア枠の垂直フレームに連結されるドア枠接触面を有するドア枠接触部材と、全体または一部の曲率（ｃｕｒｖａｔｕｒｅ）が変更可能な可変凹曲面を有する凹部材と、第１付加面を有する第１付加部材とを備え、少なくとも一面が凹んだ三角形または四角形断面で、第１内部空間を有する一体的な柱形状を有し、ヒンジ軸が異なるドアに適用する際、上記可変凹曲面の全体または一部の曲率を変化させるために、上記第１内部空間に少なくとも一つの第１曲率調節部材を備えるドア枠挟み込み防止ユニットと；上記ドアの前面または後面の縁部に連結されるドア接触面を有するドア接触部材と、全体または一部の曲率（ｃｕｒｖａｔｕｒｅ）が変更可能な可変凸曲面を有する凸部材と、第２付加面を有する第２付加部材とを備え、少なくとも一面が突出した三角形または四角形断面で、第２内部空間を有する一体的な柱形状を有し、ヒンジ軸が異なるドアに適用する際、上記可変凸曲面の全体または一部の曲率を変化させるために、上記第２内部空間に少なくとも一つの第２曲率調節部材を備えるドア挟み込み防止ユニット；を備える。
【００１８】
上記ドア枠接触部材、上記凹部材、上記第１付加部材、上記ドア接触部材、上記凸部材、及び上記第２付加部材が屈曲可能な軟質材料を有するものとし、または、上記ドア枠接触部材及び上記ドア接触部材が硬質材料を有するとともに、上記凹部材、上記第１付加部材、上記凸部材、及び上記第２付加部材が軟質材料を有するものとすることができる。
【００１９】
上記少なくとも一つの第１曲率調節部材は、上記第１内部空間を形成する上記ドア枠接触部材の内面に形成され、第１ねじ孔を有する第１突起と；上記ドア枠接触部材の内面に形成され、上記第１突起から所定の間隔をおいて隔離して位置し、第２ねじ孔を有する第２突起と；上記ドア枠接触部材の内面に対向して、上記凹部材が上記第１付加部材に接触する頂点付近の内部に形成された第１連結溝と；一端が上記第１連結溝に連結される第１連結突起を有し、他端が第３ねじ孔を有するとともに上記第１突起と上記第２突起との間に挿入され、屈曲しない硬質材料からなる第１内部調節部材と；上記第１付加部材を通過して、上記第１ねじ孔、上記第２ねじ孔及び上記第３ねじ孔に挿入される第１調節ねじを備え、上記第１調節ねじを締めたり、緩めたりする動作によって、上記第１内部調節部材の他端部が上記第１突起と上記第２突起との間で移動するようにし、これに対応して上記第１内部調節部材の一端部が上記他端部の移動方向と反対方向に移動することによって上記可変凹曲面の曲率を調節することができる。
【００２０】
上記少なくとも一つの第２曲率調節部材は、上記第２内部空間を構成する上記ドア接触部材の内面に形成され、第４ねじ孔を有する第３突起と；上記ドア接触部材の内面に形成され、上記第３突起から所定の間隔をおいて隔離して位置し、第５ねじ孔を有する第４突起と；上記ドア接触部材の内面に対向し、上記凸部材が上記第２付加部材に接触する頂点付近の内部に形成された第２連結溝と；一端が上記第２連結溝に連結される第２連結突起を有し、他端が第６ねじ孔を有するとともに上記第３突起と上記第４突起との間に挿入され、屈曲しない硬質材料を有する第２内部調節部材と；上記第２付加面を通過して、上記第４ねじ孔、上記第５ねじ孔及び上記第６ねじ孔に挿入された第２調節ねじを備え、上記第２調節ねじを締めたり緩めたりする動作によって、上記第２内部調節部材の他端部が上記第３突起と上記第４突起との間で移動するようにして、これに対応して上記第２内部調節部材の一端部が上記他端部の移動方向と反対方向に移動することによって上記可変凸曲面の曲率を調節することができる。
【００２１】
上記凹部材の一部及び上記第１付加部材の一部は伸縮可能な波形構造を有し、上記第１調節ねじを締めたり緩めたりする動作によって伸縮されることができる。
【００２２】
上記第１突起と上記第１内部調節部材との間、または上記第２突起と上記第１内部調節部材との間には弾性スプリングを更に設けることができる。
【００２３】
上記凸部材の一部及び上記第２付加面の一部は伸縮可能な波形構造を有し、上記第２調節ねじを締めたり緩めたりする動作によって伸縮されることができる。
【００２４】
上記第３突起と上記第２内部調節部材との間、または上記第４突起と上記第２内部調節部材との間には弾性スプリングが更に具備されることができる。
【発明の効果】
【００２５】
本発明によれば、ドア枠とドアとの間に体の一部が挟まれることを防止して、事故を防止または最小化することができ、ドアとドア枠の間の空間を通じて漏出するエネルギーの浪費を防止または最小化することができる。また、ドアの回転軸の変更またはドアの回転半径の変更に対応して、回転軸や回転半径が異なる全てのドアに曲率または曲率半径を変更して連結されることができるという長所がある。
【図面の簡単な説明】
【００２６】
【図１】一般の強化ガラスドアの構造を示した図である。
【図２】本発明の第１実施形態による挟み込み防止ユニットにおけるドア枠挟み込み防止ユニットの斜視図である。
【図３】本発明の第１実施形態による挟み込み防止ユニットにおけるドア挟み込み防止ユニットの斜視図である。
【図４】本発明の第１実施形態による挟み込み防止ユニットを、異なる回転半径を有するドアに適用した場合の例を示した図である。
【図５】本発明の第１実施形態による挟み込み防止ユニットを、異なる回転半径を有するドアに適用した場合の例を示した図である。
【図６】本発明の第１実施形態による挟み込み防止ユニットを、異なる回転半径を有するドアに適用した場合の例を示した図である。
【図７】本発明の第２実施形態による挟み込み防止ユニットにおけるドア枠挟み込み防止ユニットの斜視図である。
【図８】本発明の第２実施形態による挟み込み防止ユニットにおけるドア枠挟み込み防止ユニットの断面図である。
【図９】本発明の第２実施形態による挟み込み防止ユニットにおけるドア挟み込み防止ユニットの斜視図である。
【図１０】は本発明の第２実施形態による挟み込み防止ユニットにおけるドア挟み込み防止ユニットの断面図である。
【図１１】本発明の第２実施形態による挟み込み防止ユニットを、異なる回転半径を有するドアに適用した場合の例を示した図である。
【図１２】本発明の第２実施形態による挟み込み防止ユニットを、異なる回転半径を有するドアに適用した場合の例を示した図である。
【図１３】本発明の第２実施形態による挟み込み防止ユニットを、異なる回転半径を有するドアに適用した場合の例を示した図である。
【図１４】本発明の第２実施形態による挟み込み防止ユニットを、異なる回転半径を有するドアに適用した場合の例を示した図である。
【図１５】本発明の第２実施形態による挟み込み防止ユニットを、異なる回転半径を有するドアに適用した場合の例を示した図である。
【図１６】本発明の第３実施形態による挟み込み防止ユニットにおけるドア枠挟み込み防止ユニットの斜視図である。
【図１７】本発明の第３実施形態による挟み込み防止ユニットにおけるドア枠挟み込み防止ユニットの断面図である。
【図１８】本発明の第３実施形態による挟み込み防止ユニットにおけるドア挟み込み防止ユニットの斜視図である。
【図１９】本発明の第３実施形態による挟み込み防止ユニットにおけるドア挟み込み防止ユニットの断面図である。
【図２０】本発明の第３実施形態による挟み込み防止ユニットを、異なる回転半径を有するドアに適用した場合の例を示した図である。
【図２１】本発明の第３実施形態による挟み込み防止ユニットを、異なる回転半径を有するドアに適用した場合の例を示した図である。
【図２２】本発明の第３実施形態による挟み込み防止ユニットを、異なる回転半径を有するドアに適用した場合の例を示した図である。
【発明を実施するための形態】
【００２７】
以下に、本発明の属する技術分野で通常の知識を有する者に本発明の徹底的な理解を提供する意図以外の別の意図なしに、添付した図面を参照にしながら、本発明の好ましい実施形態を詳しく説明する。
【００２８】
本発明の実施形態はドア枠及びドアに固定連結されるためのもので、上記ドアの下面はフロアヒンジが連結され、上面はドア枠の水平フレームとヒンジ連結されて、ドアがヒンジ軸を中心に回転できる構造を有し、上記ドア枠は上記水平フレーム及び壁体に固定される一対の垂直フレームを有する構造である。即ち、本発明の実施形態による挟み込み防止ユニットは、上部と下部に具備されたヒンジ軸を中心に回転するドア構造を有する全てのドア及びドア枠に適用することができる。
【００２９】
また本発明の実施形態による挟み込み防止ユニットは、ドアに固定連結されるドア挟み込み防止ユニットと、ドア枠に固定連結されるドア枠挟み込み防止ユニットとを含むことができる。
【００３０】
図２は本発明の第１実施形態による挟み込み防止ユニットにおけるドア枠挟み込み防止ユニットの斜視図であり、図３は本発明の第１実施形態による挟み込み防止ユニットにおけるドア挟み込み防止ユニットの斜視図である。
【００３１】
図２に示すように、上記ドア枠挟み込み防止ユニット１１０ａ、１１０ｂ、１１０ｃは、ドア枠接触面１１２ａ、１１２ｂ、１１２ｃ及び凹曲面１１４ａ、１１４ｂ、１１４ｃを有し、少なくとも一面が凹んだ三角形断面、または少なくとも一面が凹んだ四角形断面の柱形状を有する。
【００３２】
上記ドア枠挟み込み防止ユニット１１０ａ、１１０ｂ、１１０ｃは、上記ドアの回転時、上記凹曲面１１４ａ、１１４ｂ、１１４ｃが上記ドアの側面と対向するように連結される。
上記ドア枠接触面１１２ａ、１１２ｂ、１１２ｃは、上記ドア枠の垂直フレームに固定連結され、上記垂直フレームの接着対象面の構造に対応した平面構造を有することができ、接着材料や両面テープなどで接着される。
【００３３】
上記凹曲面１１４ａ、１１４ｂ、１１４ｃは、所定の曲率半径を有する凹形状の曲面を有する。上記凹曲面１１４ａ、１１４ｂ、１１４ｃの曲率半径は、上記ドアのヒンジ軸（ドアの回転中心）から上記垂直フレームまでの最短距離と同一であるか、所定の長さより長い長さを有する。
【００３４】
上記凹曲面１１４ａ、１１４ｂ、１１４ｃは、異なるヒンジ軸を有するドアに対応した異なる曲率半径を有することができる。
【００３５】
即ち、上記挟み込み防止ユニットは、異なるヒンジ軸を有するドア（または異なる回転半径を有するドア）に対応して連結されることができるように、異なる曲率半径の凹曲面を有する複数のドア枠挟み込み防止ユニット１１０ａ、１１０ｂ、１１０ｃを含むことができる。
【００３６】
上記ドア枠挟み込み防止ユニット１１０ａ、１１０ｂ、１１０ｃは全体が屈曲可能な軟質材料からなるものとすることができるが、上記ドア枠接触面１１２ａ、１１２ｂ、１１２ｃは硬質材料からなるとともに、他の部分は軟質材料からなるものとして、ドア枠への接着が容易になるようにすることができる。軟質材料はニトリルブタジエンゴム（ＮＢＲ）、または軟質のプラスチック材料などがある。
【００３７】
図２（ａ）の第１ドア枠挟み込み防止ユニット１１０ａは、上記ドアが第１回転半径を有する場合に対応する曲率半径の凹曲面１１４ａを有することができる。そして、図２（ｂ）の第２ドア枠挟み込み防止ユニット１１０ｂは、上記ドアが上記第１回転半径より更に小さい第２回転半径を有する場合に対応する曲率半径の凹曲面１１４ｂを有することができる。また、図２（ｃ）の第３ドア枠挟み込み防止ユニット１１０ｃは、上記ドアが上記第２回転半径より更に小さい第３回転半径を有する場合に対応する曲率半径の凹曲面１１４ｃを有することができる。従って、第１ドア枠挟み込み防止ユニット１１０ａの凹曲面１１４ａ、第２ドア枠挟み込み防止ユニット１１０ｂの凹曲面１１４ｂ、第３ドア枠挟み込み防止ユニット１１０ｃの凹曲面１１４ｃの順に曲率半径が漸次に小さくなり、曲率は漸次に大きくなる構造を有するようになる。
【００３８】
その他にも、上記第３回転半径より更に小さい回転半径を有するドアまたは、上記第１回転半径より大きい回転半径を有するドアに連結可能に変更された凹曲面を有する少なくとも一つのドア枠挟み込み防止ユニットを追加することができる。
【００３９】
図３に示すように、上記ドア挟み込み防止ユニット２１０ａ、２１０ｂ、２１０ｃは、ドア接触面２１２ａ、２１２ｂ、２１２ｃ及び凸曲面２１４ａ、２１４ｂ、２１４ｃを有し、少なくとも一面が突出した三角形断面、または少なくとも一面が突出した四角形断面の柱形状を有する。
【００４０】
上記ドア挟み込み防止ユニット２１０ａ、２１０ｂ、２１０ｃは、ドアの回転時、上記垂直フレームが上記凸曲面と対向するように連結される。
【００４１】
上記ドア接触面２１２ａ、２１２ｂ、２１２ｃは上記ドアの前面、または後面の縁部に固定連結され、上記ドアの接触対象面の構造に対応した平面構造を有することができ、接着材料や両面テープなどで接着される。
【００４２】
上記凸曲面２１４ａ、２１４ｂ、２１４ｃは、所定の曲率半径を有する凸形状の曲面を有する。上記凸曲面２１４ａ、２１４ｂ、２１４ｃは、所定の曲率半径を有し、上記凸曲面２１４ａ、２１４ｂ、２１４ｃの曲率半径は、上記ドアの回転半径と同一であるか、又は所定の長さより短い長さを有する。
【００４３】
上記凸曲面２１４ａ、２１４ｂ、２１４ｃは、異なるヒンジ軸を有するドアに対応して異なる曲率半径を有することができる。
【００４４】
即ち、上記挟み込み防止ユニットは、異なるヒンジ軸を有するドア（または異なる回転半径を有するドア）に対応して連結されることができるように、異なる曲率半径の上記凸曲面２１４ａ、２１４ｂ、２１４ｃを有する複数のドア挟み込み防止ユニット２１０ａ、２１０ｂ、２１０ｃを含むことができる。
【００４５】
上記ドア挟み込み防止ユニット２１０ａ、２１０ｂ、２１０ｃは、全体が屈曲可能な軟質材料からなるものとすることができるが、上記ドア接触面２１２ａ、２１２ｂ、２１２ｃは硬質材料からなるとともに、他の部分は軟質材料からなるものとしてドアとの接着が容易になるようにすることができる。軟質材料はニトリルブタジエンゴム（ＮＢＲ）または軟質のプラスチック材料などがある。
【００４６】
図３（ａ）の第１ドア挟み込み防止ユニット２１０ａは、上記ドアが第３回転半径を有する場合に対応する曲率半径の凸曲面２１４ａを有することができる。また図３（ｂ）の第２ドア挟み込み防止ユニット２１０ｂは、上記ドアが上記第３回転半径より更に大きい第２回転半径を有する場合に対応する曲率半径の凸曲面２１４ｂを有することができる。また図３（ｃ）の第３ドア挟み込み防止ユニット２１０ｃは、上記ドアが上記第２回転半径より更に大きい第１回転半径を有する場合に対応する曲率半径の凸曲面２１４ｃを有することができる。
【００４７】
従って、上記第１ドア挟み込み防止ユニット２１０ａの凸曲面２１４ａ、第２ドア挟み込み防止ユニット２１０ｂの凸曲面２１４ｂ、第３ドア挟み込み防止ユニット２１０ｃの凸曲面１１４ｃの順に曲率半径は漸次に大きくなり、曲率は漸次に小さくなる構造を有するようになる。
【００４８】
その他にも、上記第３回転半径より小さい回転半径を有するドアまたは、上記第１回転半径より更に大きい回転半径を有するドアに連結可能に変更された凸曲面を有する少なくとも一つのドア挟み込み防止ユニットを追加することができる。
【００４９】
上述したようなドア枠挟み込み防止ユニットは、凹曲面の曲率半径を調節することにより、ドアのヒンジ軸が隣接する部分の垂直フレーム及び、ドアの取っ手が隣接する部分の垂直フレームの両方に適用可能であり、また、上記ドア挟み込み防止ユニットは、凸曲面の曲率半径を調節することにより、ドアのヒンジ軸が隣接する部分のドアの前方及び後方の縁部、並びに、ドアの取っ手が隣接する部分のドアの前方及び後方の縁部の両方に適用可能である。
【００５０】
図４〜図６は本発明の第１実施形態による挟み込み防止ユニットを、異なる回転半径を有するドアＤ１に適用した場合の例を示した図である。ここでは、ヒンジ軸が異なる三つのドアＤ１に適用される例のみを説明する。ドアＤ１のヒンジ軸側のドア枠Ｄ２及びドアＤ１の縁部に連結される場合のみを説明し、ドアＤ１の取っ手及びドア枠Ｄ２の縁部に連結される場合は省略する。
【００５１】
図４はドアＤ１が第１ヒンジ軸ａを中心に回転し、第３回転半径を有する場合の適用例であり、図５はドアＤ１が第２ヒンジ軸ｂを中心に回転し、第２回転半径を有する場合の適用例であり、図６はドアＤ１が第３ヒンジ軸ｃを中心に回転し、第１回転半径を有する場合の適用例である。
【００５２】
図４に示すように、ドアＤ１が第１ヒンジ軸ａを中心に回転し、ドアＤ１が第３回転半径を有する場合、上記ドア枠Ｄ２の上記垂直フレームには、上記ドア枠挟み込み防止ユニット１１０ａ、１１０ｂ、１１０ｃのなかで最も小さい曲率半径を有する上記第３ドア枠挟み込み防止ユニット１１０ｃが固定され、上記ドアＤ１の縁部には、上記ドア挟み込み防止ユニット２１０ａ、２１０ｂ、２１０ｃのなかで最も小さい曲率半径を有する上記第１ドア挟み込み防止ユニット２１０ａが固定される。この時、上記第１ドア挟み込み防止ユニット２１０ａの凸曲面の曲率半径は、上記第３ドア枠挟み込み防止ユニット１１０ｃの凹曲面の曲率半径より小さくなければならない。これは、ドアＤ１の回転時、上記挟み込み防止ユニット１１０ｃ、２１０ａによってドアＤ１の回転が妨害されないようにするためである。
【００５３】
図５に示すように、ドアＤ１が第２ヒンジ軸ｂを中心に回転し、ドアＤ１が第２回転半径を有する場合、上記ドア枠Ｄ２の上記垂直フレームには、上記ドア枠挟み込み防止ユニット１１０ａ、１１０ｂ、１１０ｃのなかで中間の曲率半径を有する上記第２ドア枠挟み込み防止ユニット１１０ｂが固定され、上記ドアＤ１の縁部には、上記ドア挟み込み防止ユニット２１０ａ、２１０ｂ、２１０ｃになかで中間の曲率半径を有する上記第２ドア挟み込み防止ユニット２１０ｂが固定される。この時、上記第２ドア挟み込み防止ユニット２１０ｂの凸曲面の曲率半径は、上記第２ドア枠挟み込み防止ユニット１１０ｂの凹曲面の曲率半径より小さくなければならない。これは、ドアＤ１が回転時、上記挟み込み防止ユニット１１０ｂ、２１０ｂによってドアＤ１の回転が妨害されないようにするためである。
【００５４】
図６に示すように、ドアＤ１が第３ヒンジ軸ｃを中心に回転し、ドアＤ１が第１回転半径を有する場合、上記ドア枠Ｄ２の上記垂直フレームには、上記ドア枠挟み込み防止ユニット１１０ａ、１１０ｂ、１１０ｃのなかで最も大きい曲率半径を有する上記第１ドア枠挟み込み防止ユニット１１０ａが固定され、上記ドアＤ１の縁部には、上記ドア挟み込み防止ユニット２１０ａ、２１０ｂ、２１０ｃの中で最も大きい曲率半径を有する上記第３ドア挟み込み防止ユニット２１０ｃが固定される。この時、上記第３ドア挟み込み防止ユニット２１０ｃの凸曲面の曲率半径は、上記第１ドア枠挟み込み防止ユニット１１０ａの凹曲面の曲率半径より小さくなければならない。これは、ドアＤ１の回転時、上記挟み込み防止ユニット１１０ａ、２１０ｃによってドアＤ１の回転が妨害されないようにするためである。
【００５５】
図７及び図８は、本発明の第２実施形態による挟み込み防止ユニットにおけるドア枠挟み込み防止ユニット３００の斜視図及び断面図である。上記ドア枠挟み込み防止ユニット３００はドア枠挟み込み防止基本ユニット３１０、第１付加ドア枠ユニット３２０、及び第２付加ドア枠ユニット３３０を具備することができる。上記ドア枠挟み込み防止基本ユニット３１０、上記第１付加ドア枠ユニット３２０、及び上記第２付加ドア枠ユニット３３０の長さは上記ドアや上記ドア枠の垂直フレームに対応する長さを有することができる。
【００５６】
上記ドア枠挟み込み防止基本ユニット３１０は、ドア枠接触面３１２及び第１凹曲面３１４を有し、少なくとも一面が凹んだ三角形断面、または少なくとも一面が凹んだ四角形断面の柱形状を有する。上記ドア枠挟み込み防止基本ユニット３１０は上記ドアの回転時、上記第１凹曲面３１４が上記ドアの側面と対向するように連結される。
【００５７】
上記ドア枠接触面３１２は、上記ドア枠の垂直フレームに固定連結され、上記垂直フレームの接着対象面の構造に対応した平面構造を有することができ、接着材料や両面テープなどで接着される。
【００５８】
上記第１凹曲面３１４は、第１曲率半径を有する凹曲面を有する。上記第１曲率半径は、上記ドアのヒンジ軸（ドアの回転中心）から上記垂直フレームまでの最短距離と同一であるか、または所定の長さより長い長さを有することができる。また、上記第１曲率半径は、上記ドアの回転半径が最も長い場合、例えば第１回転半径を有する場合に対応するものとすることができる。
【００５９】
上記第１付加ドア枠ユニット３２０は、上記第１凹曲面３１４の全体または一部と接触して連結されるように、上記第１曲率半径の凸曲面を有する第１凹曲面接触面３２２と、上記第１曲率半径より小さい第３曲率半径の第２凹曲面３２４を有し、一面が凹み、一面が突出した三角形断面、または四角形断面を有する柱形状を有する。上記第１付加ドア枠ユニット３２０は、上記ドアの回転半径が上記第１回転半径より小さい第２回転半径を有する場合に上記ドア枠挟み込み防止基本ユニット３１０に追加的に連結されるためのもので、上記第３曲率半径は上記ドアの回転半径が上記第２回転半径を有する場合に対応する曲率半径とすることができる。
【００６０】
図示していないが、上記第１凹曲面接触面３２２は係合突起を具備し、上記第１凹曲面３１４は上記係合突起が係合連結されるための係合溝を含むことができ、この場合には、第１凹曲面接触面３２２の係合突起が上記係合溝に挟まれて上記第１凹曲面接触面３２２が上記第１凹曲面３１４と係合連結される構造を有することができる。これとは異なり、上記第１凹曲面接触面３２２と上記第１凹曲面３１４は接着材料や接着テープを通じて接着連結されることが可能である。
【００６１】
上記第２付加ドア枠ユニット３３０は、上記第２凹曲面３２４の全体または一部と接触連結可能に上記第３曲率半径の凸曲面を有する第２凹曲面接触面３３２と、上記第３曲率半径よりは小さい第４曲率半径の第３凹曲面３３４を有し、一面が凹み、一面が突出した三角形断面、または四角形断面を有する柱形状を有することができる。
【００６２】
上記第２付加ドア枠ユニット３３０は、上記ドアの回転半径が上記第２回転半径より小さい第３回転半径を有する場合に、上記第１付加ドア枠ユニット３２０が連結された上記ドア枠挟み込み防止基本ユニット３１０に追加的に連結されるためのもので、上記第４曲率半径は上記ドアの回転半径が上記第２回転半径より小さい第３回転半径を有する場合に対応する曲率半径であることができる。
【００６３】
図示していないが、上記第２凹曲面接触面３３２は係合突起を含み、上記第２凹曲面３２４は上記係合突起が係合連結される係合溝を含むことができ、この場合には第２凹曲面接触面３３２の係合突起が上記係合溝に係合し、上記第２凹曲面接触面３３２が上記第２凹曲面３２４と係合連結される構造を有することができる。これとは異なり、上記第２凹曲面接触面３３２と上記第２凹曲面３２４は接着材料や接着テープを通じて接着連結されることが可能である。
【００６４】
上記ドア枠挟み込み防止基本ユニット３１０、上記第１付加ドア枠ユニット３２０、及び上記第２付加ドア枠ユニット３３０は全体が屈曲可能な軟質材料からなるものとすることができるが、上記ドア枠接触面３１２は硬質材料からなるとともに、他の部分は軟質材料からなるものとしてドア枠への接着を容易にすることができる。軟質材料にはニトリルブタジエンゴム（ＮＢＲ）や軟質のプラスチック材料などがある。
【００６５】
図９及び図１０は本発明の第２実施形態による挟み込み防止ユニットにおけるドア挟み込み防止ユニット４００の斜視図及び断面図である。上記ドア挟み込み防止ユニット４００はドア挟み込み防止基本ユニット４１０、第１付加ドアユニット４２０、及び第２付加ドアユニット４３０を具備することができる。
【００６６】
上記ドア挟み込み防止基本ユニット４１０は、ドア接触面４１２及び第１凸曲面４１４を有し、少なくとも一面が突出した三角形断面、または少なくとも一面が突出した四角形断面の柱形状を有する。
【００６７】
上記ドア挟み込み防止基本ユニット４１０は、ドアの回転時、上記垂直フレームが上記凸曲面と対向するようにドアの端部の前方及び後方に連結される。
【００６８】
上記ドア接触面４１２は、上記ドアの前面または後面の縁部に固定連結され、上記ドアの接触対象面の構造に対応した平面構造を有することができ、接着材料や両面テープなどで接着される。
【００６９】
上記第１凸曲面４１４は、上記第１曲率半径より小さい第２曲率半径を有する凸形状の曲面を有する。上記第１凸曲面４１４の曲率半径は、上記ドアの回転半径と同一であるか、または所定の長さより短い長さを有することができる。また、上記第２曲率半径は、上記ドアの回転半径が最も短い場合、例えば第３回転半径を有する場合に対応するものとすることができる。
【００７０】
上記第１付加ドアユニット４２０は、上記第１凸曲面４１４の全体または一部と接触連結可能に上記第２曲率半径の凹曲面を有する第１凸曲面接触面４２２と、上記第２曲率半径より大きい第５曲率半径を有する第２凸曲面４２４を含み、一面が突出され、一面は凹んだ三角形断面または四角形断面を有する柱形状を有する。
【００７１】
上記第１付加ドアユニット４２０は、上記ドアの回転半径が上記第３回転半径より大きい第２回転半径を有する場合に、上記ドア挟み込み防止基本ユニット４１０に付加的に連結され、上記第５曲率半径は、上記ドアの回転半径が上記第２回転半径を有する場合に対応するものとすることができる。
【００７２】
図示していないが、上記第１凸曲面接触面４２２は係合突起を含み、上記第１凸曲面４１４は上記係合突起が係合連結される係合溝を含むことができ、この場合には第１凸曲面接触面４２２の係合突起が上記係合溝に係合し、上記第１凸曲面接触面４２２が上記第１凸曲面４１４と係合連結される構造を有することができる。これと違って上記第１凸曲面接触面４２２と上記第１凸曲面４１４は接着材料や接着テープを通じて接着連結されることが可能である。
【００７３】
上記第２付加ドアユニット４３０は、上記第２凸曲面４２４の全体または一部と連結可能に上記第５曲率半径の凹曲面を有する第２凸曲面接触面４３２と、上記第５曲率半径より大きい第６曲率半径の第３凸曲面４３４を含み、一面が突出し、一面は凹んだ三角形断面または四角形断面を有する柱形状を有する。
【００７４】
上記第２付加ドアユニット４３０は、上記ドアの回転半径が上記第２回転半径より大きい第１回転半径を有する場合に、上記第１付加ドアユニット４２０が連結された上記ドア挟み込み防止基本ユニット４１０に追加的に連結されるためのもので、上記第６曲率半径は上記ドアの回転半径が上記第１回転半径を有する場合に対応するものとすることができる。
【００７５】
図示していないが、上記第２凸曲面接触面４３２は係合突起を含み、上記第２凸曲面４２４は上記係合突起が係合連結されるための係合溝を含むことができ、この場合には第２凸曲面接触面４３２の係合突起が上記係合溝に係合し、上記第２凸曲面接触面４３２が上記第２凸曲面４２４と係合連結される構造を有することができる。これとは異なり、上記第２凸曲面接触面４３２と上記第２凸曲面４２４は接着材料や接着テープを通じて接着連結されることが可能である。
【００７６】
上記ドア挟み込み防止基本ユニット４１０、第１付加ドアユニット４２０、及び第２付加ドアユニット４３０は全体が屈曲可能な軟質材料からなるものとすることができるが、上記ドア接触面４１２は硬質材料からなるとともに、他の部分は軟質材料からなるものとしてドアとの接着を容易にすることができるようにする。軟質材料にはニトリルブタジエンゴム（ＮＢＲ）や軟質のプラスチック材料などがある。
【００７７】
上述したように、本発明の第２実施形態による挟み込み防止ユニットは、異なる回転軸を有するドアに対応して、異なる曲率半径を有する付加ユニットを連結して容易に挟み込み防止を可能する効果がある。
【００７８】
図１１〜図１５は本発明の第２実施形態による挟み込み防止ユニットを、異なる回転半径を有するドアＤ１に適用した場合の例を示した図である。図１１〜図１３は断面図であり、図１４は図１１の斜視図を示した図であり、図１５はドアの取っ手部にも挟み込み防止ユニット４１０ａ、３１０ａが装着された場合を示した図である。
【００７９】
ここでは、ヒンジ軸が異なる三つのドアＤ１に適用される場合のみを説明する。ドアＤ１のヒンジ軸側のドア枠Ｄ２及びドアＤ１の縁部に連結される場合を説明し、ドアＤ１の取っ手側のドア枠Ｄ２及びドアＤ１の縁部に連結される場合は省略することにする。
【００８０】
図１１はドアＤ１が第１ヒンジ軸ａを中心に回転し、第３回転半径を有する場合の適用例であり、図１２はドアＤ１が第２ヒンジ軸ｂを中心に回転し、第２回転半径を有する場合の適用例であり、図１３はドアＤ１が第３ヒンジ軸ｃを中心に回転し、第１回転半径を有する場合の適用例であり、図１４は図１１の斜視図を示した図である。
【００８１】
図１１及び図１４に示すように、ドアＤ１が第１ヒンジ軸ａを中心に回転し、ドアＤ１が第３回転半径を有する場合、上記第１付加ドア枠ユニット３２０及び上記第２付加ドア枠ユニット３３０は、ドア枠挟み込み防止基本ユニット３１０に連結されて、上記ドア枠Ｄ２の上記垂直フレームに固定され、上記ドアＤ１には、上記ドア挟み込み防止基本ユニット４１０のみが連結されて固定される。
【００８２】
この時、上記ドア挟み込み防止基本ユニット４１０の凸曲面４１４の曲率半径である第２曲率半径は、上記第２付加ドア枠ユニット３３０の凹曲面３３４の曲率半径である第４曲率半径より小さくなければならない。これは、ドアＤ１の回転時、上記挟み込み防止ユニット３１０、３２０、３３０、４１０によってドアＤ１の回転が妨害されないようにするためである。
【００８３】
図１２に示すように、ドアＤ１が第２ヒンジ軸ｂを中心に回転し、ドアＤ１が第２回転半径を有する場合、上記第１付加ドア枠ユニット３２０は、上記ドア枠挟み込み防止基本ユニット３１０に連結されて、上記ドア枠Ｄ２の上記垂直フレームに固定され、上記第１付加ドアユニット４２０は、上記ドア挟み込み防止基本ユニット４１０にが連結されて、上記ドアＤ１に固定される。
【００８４】
この時、上記第１付加ドアユニット４２０の凸曲面４２４の曲率半径である第５曲率半径は、上記第１付加ドア枠ユニット３２０の凹曲面３２４の曲率半径である第３曲率半径より小さくなければならない。これは、ドアＤ１の回転時、上記挟み込み防止ユニット３１０、３２０、４１０、４２０によってドアＤ１の回転が妨害されないようにするためである。
【００８５】
図１３に示すように、ドアＤ１が第３ヒンジ軸ｃを中心に回転し、ドアＤ１が第１回転半径を有する場合、上記ドア枠Ｄ２の上記垂直フレームには、上記ドア枠挟み込み防止基本ユニット３１０のみが固定され、上記第１付加ドアユニット４２０及び上記第２付加ドアユニット４３０は順次に、上記ドア挟み込み防止基本ユニット４１０に連結され、上記ドアＤ１に固定される。
【００８６】
この時、上記第２付加ドアユニット４３０の凸曲面４３４の曲率半径である第６曲率半径は、上記ドア枠挟み込み防止基本ユニット３１０の凹曲面３１４の曲率半径である第１曲率半径より小さくなければならない。これは、ドアＤ１の回転時、上記挟み込み防止ユニット３１０、４１０、４２０、４３０によってドアＤ１の回転が妨害されないようにするためである。
【００８７】
上述したような本発明の第２実施形態によるドア枠挟み込み防止ユニットは、ドアのヒンジ軸が隣接する部分の垂直フレーム及び、ドアの取っ手が隣接する部分の垂直フレームの両方にドア枠挟み込み防止基本ユニット３１０のみを接着するか、または、上記ドア枠挟み込み防止基本ユニット３１０に付加ドア枠ユニット３２０、３３０を接着することによって、凹曲面の曲率半径を調節することが可能である。
【００８８】
また上記ドア挟み込み防止ユニット４００はドアのヒンジ軸が位置する部分のドアの前方及び後方の縁部及びドアの取っ手が位置する部分のドアの前方及び後方の縁部の両方にドア挟み込み防止基本ユニット４１０のみを接着するか、または、上記ドア枠挟み込み防止基本ユニット４１０に付加ドア枠ユニット４２０、４３０を接着することによって、凸曲面の曲率半径を調節することが可能である。
【００８９】
即ち、図１５に示すように、ドアの取っ手部にも上で説明したのと同じ原理で挟み込み防止ユニット４１０ａ、３１０ａを装着することができる。
【００９０】
図１６及び図１７は本発明の第３実施形態による挟み込み防止ユニットにおけるドア枠挟み込み防止ユニット５００の斜視図及び断面図であり、図１８及び図１９は本発明の第３実施形態による挟み込み防止ユニットにおけるドア挟み込み防止ユニット６００の斜視図及び断面図である。
【００９１】
上記ドア枠挟み込み防止ユニット５００及び上記ドア挟み込み防止ユニット６００は下面にフロアヒンジが連結され、上面はドア枠の水平フレームとヒンジが連結されて、ヒンジ軸を中心に回転するドアと、上記水平フレーム及び壁体に固定される一対の垂直フレームを有するドア枠に連結されるためのものである。
【００９２】
図１６及び図１７に示すように、上記ドア枠挟み込み防止ユニット５００はドア枠接触部材５１２、凹部材５１４、第１付加部材５１６を含み、少なくとも一面が凹んだ三角形断面、または少なくとも一面が凹んだ四角形断面の一体的な柱形状を有し、第１内部空間５１８を有する中空形の柱形状を有する。そして、上記第１内部空間５１８には少なくとも一つの第１曲率調節部材５２０ａ、５２０ｂ、５３０、５４０を含む。
【００９３】
上記ドア枠接触部材５１２は、上記ドア枠の垂直フレームに連結されるためのドア枠接触面５１２ａを有する。上記ドア枠接触面５１２ａは上記ドア枠の垂直フレームに固定連結され、上記垂直フレームの接着対象面の構造に対応して平面構造を有することができ、接着材料や両面テープなどで接着される。
【００９４】
上記凹部材５１４は、全体または一部の曲率（ｃｕｒｖａｔｕｒｅ）が変更可能な可変凹曲面５１４ａを有する。可変凹曲面５１４ａは、基本的には所定曲率を有する凹曲面形状を有するが、上記少なくとも一つの第１曲率調節部材５２０ａ、５２０ｂ、５３０、５４０を通じて全体または一部の曲率が変化される構造を有する。即ち、上記可変凹曲面５１４は、異なるヒンジ軸を有するドアに対応した異なる曲率を有するように変化することができる。
【００９５】
上記ドア枠挟み込み防止ユニット５００は、上記ドアの回転時、上記可変凹曲面５１４ａが上記ドアの側面と対向するように連結される。
【００９６】
上記第１付加部材５１６は、上記ドア枠挟み込み防止ユニット５００が少なくとも一面が凹んだ三角形または四角形断面構造の柱形状の構造を有するために、上記ドア枠接触部材５１２及び上記凹部材５１４とともに設けられる。
【００９７】
上記第１付加部材５１６、上記ドア枠接触部材５１２及び上記凹部材５１４は互いに一体的に形成されて、第１内部空間５１８を有する柱形状の上記ドア枠挟み込み防止ユニット５００を形成する。
【００９８】
上記第１付加部材５１６、上記ドア枠接触部材５１２及び上記凹部材５１４は屈曲可能な軟質材料からなるものとすることができる。また、ドア枠へのドア枠挟み込み防止ユニット５００の接着容易性のために、上記ドア枠接触部材５１２は硬質材料からなるものとし、上記第１付加部材５１６及び上記凹部材５１４は軟質材料からなるものとすることができる。軟質材料にはニトリルブタジエンゴム（ＮＢＲ）や軟質のプラスチック材料などがある。
【００９９】
上記少なくとも一つの第１曲率調節部材５２０ａ、５２０ｂ、５３０、５４０は、ヒンジ軸が異なるドアに適用する時、上記可変凹曲面５１４ａの全体または一部の曲率を変動させるために、上記第１内部空間５１８に設けられる。
【０１００】
上記少なくとも一つの第１曲率調節部材５２０ａ、５２０ｂ、５３０、５４０は、上記第１内部空間５１８を形成する上記ドア枠接触部材５１２の内面に形成され、第１ねじ孔が形成された第１突起５２０ａと、上記ドア枠接触部材５１２の内面に上記第１突起５２０ａから所定間隔をおいて隔離して形成され、第２ねじ孔を有する第２突起５２０ｂを含む。
【０１０１】
また、第１曲率調節部材５２０ａ、５２０ｂ、５３０、５４０は、上記ドア枠接触部材５１２の内面に対向し、上記凹部材５１４が上記第１付加部材５１６に接触する頂点付近の内部に形成された第１連結溝（図示しない）と、一端に上記第１連結溝に連結される第１連結突起５４０ａが形成され、他端に第３ねじ孔（図示しない）有し、上記第１突起５２０ａと上記第２突起５２０ｂとの間に挿入され、屈曲しない硬質材料からなる第１内部調節部材５４０とを含む。
【０１０２】
そして、第１曲率調節部材５２０ａ、５２０ｂ、５３０、５４０は、上記第１付加部材５１６を通過し、上記第１ねじ孔、上記第２ねじ孔及び上記第３ねじ孔に挿入される第１調節ねじ５３０を含む。
【０１０３】
上記第１調節ねじ５３０は、一般的なねじだけでなく、ボルトを含む、回転によって締めたり緩めたりする動作が可能な全ての種類の調節手段を含むと理解すべきである。
【０１０４】
上記少なくとも一つの第１曲率調節部材５２０ａ、５２０ｂ、５３０、５４０は、上記第１調節ねじ５３０を締めたり緩めたりする動作によって、上記第１内部調節部材５４０の他端部が上記第１突起５２０ａと上記第２突起５２０ｂとの間で移動するようにし、これに対応して上記第１内部調節部材５４０の一端部が上記他端部の移動方向と反対方向に移動するようにすることで、上記可変凹曲面５１４ａの曲率を調節することが可能である。これは、上記第１内部調節部材５４０が屈曲しない硬質材料からなることによるものである。
【０１０５】
即ち、上記第１調節ねじ５３０を締めたり緩めたりすることにより、上記第１内部調節部材５４０の他端部が上記第２突起５２０ｂから上記第１突起５２０ａ側の方向である第１方向に移動すると、上記第１内部調節部材５４０の一端部は上記第１方向と反対である第２方向に移動するようになり、これによって上記可変凹曲面５１４ａは更に凹まれて、曲率が大きくなる。
【０１０６】
反対に、上記第１内部調節部材５４０の他端部が上記第１突起５２０ａから上記第２突起５２０ｂ側の方向である第２方向に移動すると、上記第１内部調節部材５４０の一端部は上記第２方向と反対である第１方向に移動するようになり、これによって上記可変凹曲面５１４ａはそれほど凹まれず、曲率が小さくなる。
【０１０７】
従って、上記第１調節ねじ５３０を通じて上記可変凹曲面５１４ａの全体または一部の曲率を調節することが可能になるので、ドア枠挟み込み防止ユニット５００は、異なるヒンジ軸を有して異なる回転半径を有する全てのドアに適用することができる。
【０１０８】
追加的に、上記凹部材５１４の一部及び上記第１付加部材５１６の一部は伸縮可能な波形構造５５０ａ、５５０ｂを有し、上記第１調節ねじ５３０を締めたり緩めたりする動作によって伸縮されるようにすることができる。この場合は上記可変凹曲面５１４ａの全体、または一部の曲率を調節することが更に容易である。
【０１０９】
また、上記第１突起５２０ａと上記第１内部調節部材５４０との間、または上記第２突起５２０ｂと上記第１内部調節部材５４０との間には、弾性スプリング（図示しない）を更に設けることができる。
【０１１０】
図１８及び図１９に示すように、上記ドア挟み込み防止ユニット６００は、ドア接触部材６１２、凸部材６１４、第２付加部材６１６を含み、少なくとも一面が凹んだ三角形断面、または少なくとも一面が突出された四角形断面の一体的な柱形状を有し、第２内部空間６１８を有する中空形の柱形状を有する。そして上記第２内部空間６１８には少なくとも一つの第２曲率調節部材６２０ａ、６２０ｂ、６３０、６４０を含む。
【０１１１】
上記ドア接触部材６１２は、上記ドアの前面または後面の縁部に固定連結されるためのドア接触面６１２ａを有する。上記ドア接触面６１２ａは上記ドア枠の垂直フレームに固定連結され、上記ドアの接触対象面の構造に対応した平面構造を有することができ、接着材料や両面テープなどで接着される。
【０１１２】
上記凸部材６１４は全体または一部の曲率（ｃｕｒｖａｔｕｒｅ）が変更可能な可変凸曲面６１４ａを有する。上記可変凸曲面６１４ａは、基本的には所定の曲率を有する凸曲面形態を有するが、上記少なくとも一つの第２曲率調節部材６２０ａ、６２０ｂ、６３０、６４０を通じて全体または一部の曲率が変化される構造を有する。即ち、上記可変凸曲面６１４ａは、異なるヒンジ軸を有するドアに対応して異なる曲率を有するように変化されることができる。
【０１１３】
上記ドア挟み込み防止ユニット６００は、ドアの回転時、上記垂直フレームが上記可変凸曲面６１４ａと対向するように連結されることができる。
【０１１４】
上記第２付加部材６１６は、上記ドア挟み込み防止ユニット６００が少なくとも一面が凹んだ三角形または四角形断面の柱形状を有するものとするために、上記ドア接触部材６１２及び上記凸部材６１４とともに設けられる。
【０１１５】
上記第２付加部材６１６、上記ドア接触部材６１２及び上記凸部材６１４は互いに一体に形成されて、第２内部空間６１８を有する柱形状の上記ドア挟み込み防止ユニット６００を形成する。
【０１１６】
上記第２付加部材６１６、上記ドア接触部材６１２及び上記凸部材６１４は屈曲可能な軟質材料を有することができる。また、ドアへのドア挟み込み防止ユニット６００の接着容易性のために、上記ドア接触部材６１２は硬質材料からなるものとし、上記第２付加部材６１６及び上記凸部材６１４は軟質材料からなるものとすることができる。軟質材料にはニトリルブタジエンゴム（ＮＢＲ）や軟質のプラスチック材料などがある。
【０１１７】
上記少なくとも一つの第２曲率調節部材６２０ａ、６２０ｂ、６３０、６４０は、ドア挟み込み防止ユニット６００は、ヒンジ軸が異なるドアに適用する時、上記可変凸曲面６１４ａの全体または一部の曲率を変動させるために、上記第２内部空間６１８に設けられる。
【０１１８】
上記少なくとも一つの第２曲率調節部材６２０ａ、６２０ｂ、６３０、６４０は、上記第２内部空間６１８を形成する上記ドア接触部材６１２の内面に形成され、第４ねじ孔が形成された第３突起６２０ａと、上記ドア接触部材６１２の内面に上記第３突起６２０ａｋら所定の間隔をおいて隔離して形成され、第５ねじ孔を有する第４突起６２０ｂとを含む。
【０１１９】
また、第２曲率調節部材６２０ａ、６２０ｂ、６３０、６４０は、上記ドア接触部材６１２の内面に対向し、上記凸部材６１４が上記第２付加部材６１６に接触する頂点付近の内部に形成された第２連結溝（図示しない）と、一端に上記第２連結溝に連結される第２連結突起６４０ａが形成され、他端に第６ねじ孔（図示しない）を有し、上記第３突起６２０ａと上記第４突起６２０ｂとの間に挿入され、屈曲しない硬質材料からなる第２内部調節部材６４０を含む。
【０１２０】
そして、第２曲率調節部材６２０ａ、６２０ｂ、６３０、６４０は、上記第２付加部材６１６を通過して、上記第４ねじ孔、上記第５ねじ孔及び上記第６ねじ孔に挿入される第２調節ねじ６３０を含む。上記第２調節ねじ６３０は、一般的なねじだけでなく、ボルトを含む、回転によって締めたり緩めたりする動作が可能な全ての種類の調節手段を含むと理解すべきである。
【０１２１】
上記少なくとも一つの第２曲率調節部材６２０ａ、６２０ｂ、６３０、６４０は、上記第２調節ねじ６３０を締めたり緩めたりする動作によって、上記第２内部調節部材６４０の他端部が上記第３突起６２０ａと上記第４突起６２０ｂの間で移動するようにし、これに対応して上記第２内部調節部材６４０との一端部が上記他端部の移動方向と反対方向に移動することで、上記可変凸曲面６１４ａの曲率を調節することが可能である。これは、上記第２内部調節部材６４０が屈曲されない硬質材料からなることによるものである。
【０１２２】
即ち、上記第２調節ねじ６３０を締めたり緩めたりすることにより、上記第２内部調節部材６４０の他端部が上記第４突起６２０ｂから上記第３突起６２０ａ側の方向である第３方向に移動すると、上記第２内部調節部材６４０の一端部は上記第３方向と反対である第４方向に移動することになり、これによって上記可変凸曲面６１４ａはそれほど突出せず、曲率が小さくなる。
【０１２３】
反対に、上記第２内部調節部材６４０の他端部が上記第３突起６２０ａから上記第４突起６２０ｂ側の方向である第４方向に移動すると、上記第２内部調節部材６４０の一端部は上記第４方向と反対である第３方向に移動することになり、これによって上記可変凸曲面６１４ａは更に突出して、曲率が大きくなる。
【０１２４】
従って、上記第２調節ねじ６３０を通じて上記可変凸曲面６１４ａの全体または一部の曲率を調節することが可能になるので、ドア挟み込み防止ユニット６００は、異なるヒンジ軸を有して異なる回転半径を有する全てのドアに適用することができる。
【０１２５】
追加的に、上記凸部材６１４の一部及び上記第２付加部材６１６の一部は伸縮可能な波形構造６５０ａ、６５０ｂを有し、この場合、上記第２調節ねじ６３０を締めたり緩めたりする動作によって伸縮されることができる。この場合、上記可変凸曲面６１４ａの全体または一部の曲率を調節することが更に容易である。
【０１２６】
また、上記第３突起６２０ａと上記第２内部調節部材６４０との間、または上記第４突起６２０ｂと上記第２内部調節部材６４０との間には、弾性スプリング（図示せず）を更に設けることができる。
【０１２７】
図２０〜図２２は本発明の第３実施形態による挟み込み防止ユニットを、異なる回転半径を有するドアＤ１に適用した場合の例を断面図に示した図である。
【０１２８】
ここではヒンジ軸を互いに異なるようにする三つのドアＤ１に適用される場合のみを説明する。ドアＤ１のヒンジ軸に隣接するドア枠Ｄ２及びドアＤ１の縁部に連結される場合のみを説明し、ドアＤ１の取っ手に隣接するドア枠Ｄ２及びドアＤ１の縁部に連結される場合は省略する。
【０１２９】
図２０はドアＤ１が第２ヒンジ軸ｂを中心に回転し、第２回転半径を有する場合の適用例であり、図２１はドアＤ１が第３ヒンジ軸ｃを中心に回転し、第１回転半径を有する場合の適用例であり、図２２はドアＤ１が第１ヒンジ軸ａを中心に回転し、第３回転半径を有する場合の適用例である。ここで上記第２回転半径を基準にする場合、上記第１回転半径は上記第２回転半径より大きく、上記第３回転半径は上記第２回転半径より小さい。
【０１３０】
図２０〜図２２の場合は３つの回転半径を有する場合のみを説明するが、その他に異なる回転半径を有する場合にも本発明は適用可能である。
【０１３１】
図２０に示すように、ドアＤ１が第２ヒンジ軸ｂを中心に回転し、ドアＤ１が第２回転半径を有する場合に、上記ドア枠Ｄ２には上記ドア枠挟み込み防止ユニット５００の可変凹曲面５１４ａが所定曲率を有するようにして連結され、上記ドアＤ１には上記ドア挟み込み防止ユニット６００の可変凸曲面６１４ａが所定曲率を有するようにして連結される。
【０１３２】
図２１に示すように、ドアＤ１が第３ヒンジ軸ｃを中心に回転し、ドアＤ１が上記第２回転半径より大きい第１回転半径を有するようになると、上記第１調節ねじ５３０を利用して上記ドア枠挟み込み防止ユニット５００の可変凹曲面５１４ａの曲率を図２０の場合より更に小さく調節して連結し、上記ドア挟み込み防止ユニット６００の場合にも、上記第２調節ねじ６３０を利用して上記可変凸曲面６１４ａの曲率を図２０の場合より更に小さくして連結する。
【０１３３】
図２２に示すように、ドアＤ１が第１ヒンジ軸ａを中心に回転し、ドアＤ１が上記第２回転半径より小さい第３回転半径を有するようになると、上記第１調節ねじ５３０を利用して上記ドア枠挟み込み防止ユニット５００の可変凹曲面５１４ａの曲率を図２０の場合より更に大きく調節して連結し、上記ドア挟み込み防止ユニット６００の場合にも、上記第２調節ねじ６３０を利用して上記可変凸曲面６１４ａの曲率を図２０の場合より更に大きく調節して連結するようになる。
【０１３４】
結果的に、回転半径が大きいドアに連結される場合には曲率を小さく調節し、ドアの回転半径が小さくなるにつれて曲率を漸次に大きく調節するようにして上記ドア枠挟み込み防止ユニット５００と上記ドア挟み込み防止ユニット６００との隙間を調節することができる。
【０１３５】
上述したような本発明の第３実施形態によるドア枠挟み込み防止ユニットは、ドアのヒンジ軸が隣接する部分の垂直フレーム、及びドアの取っ手が隣接する部分の垂直フレームの何れにもドア枠挟み込み防止ユニット５００を接着して、可変凹曲面５１４ａの曲率を調節することが可能である。また、上記ドア挟み込み防止ユニット６００はドアのヒンジ軸が隣接する部分のドアの前方及び後方の縁部及びドアの取っ手が隣接する部分のドアの前方及び後方縁部の何れにもドア挟み込み防止ユニット６００を接着して、上記可変凸曲面６１４ａの曲率を調節することが可能である。
【０１３６】
本発明の実施形態を通じて説明された挟み込み防止ユニットは通常全体が軟質材料で形成されるか、または、ユニットの一部は硬質材料で形成され、他の部分は軟質材料で形成することもできる。またユニットの他の部分は、日光に強い材料や金属材料からなるものとすることもできる。即ち、必要によって多様な材料を使って形成することが可能である。
【０１３７】
上述した実施形態はドアのヒンジ軸に隣接されたドア枠、及びドアに装着される挟み込み防止ユニットドルに対して説明しているが、上で説明した実施形態の内容と同じ原理を適用して挟み込み防止ユニットがドアの取っ手部に隣接されたドア枠及びドアに装着されることは明白である。
【０１３８】
上述したように、本発明によれば、ドア枠とドアとの間に体の一部が挟まれることを防止して、事故を防止または最小化することができ、ドアとドア枠との間の空間を通じて流出されるエネルギーの無駄使いを防止または最小化することができる。また、ドアの回転軸の変更またはドアの回転半径の変更に対応して、回転軸や回転半径を異なる全てのドアに曲率または曲率半径を変更して連結することができる。
【０１３９】
上記実施形態の説明は本発明のさらなる徹底的な理解のために図面を参照して例示したものに過ぎないので、本発明を限定する意味で解釈されてはならない。また、本発明が属する技術分野において通常の知識を有する者であれば本発明の基本的原理を逸脱しない範囲内で多様な変化及び変更が可能である。
【図１】
2015519495.tif 000003
【図２（ａ）】
2015519495.tif 000004
【図２（ｂ）】
2015519495.tif 000005
【図２（ｃ）】
2015519495.tif 000006
【図３（ａ）】
2015519495.tif 000007
【図３（ｂ）】
2015519495.tif 000008
【図３（ｃ）】
2015519495.tif 000009
【図４（ａ）】
2015519495.tif 000010
【図４（ｂ）】
2015519495.tif 000011
【図５（ａ）】
2015519495.tif 000012
【図５（ｂ）】
2015519495.tif 000013
【図６（ａ）】
2015519495.tif 000014
【図６（ｂ）】
2015519495.tif 000015
【図７】
2015519495.tif 000016
【図８】
2015519495.tif 000017
【図９】
2015519495.tif 000018
【図１０】
2015519495.tif 000019
【図１１（ａ）】
2015519495.tif 000020
【図１１（ｂ）】
2015519495.tif 000021
【図１２（ａ）】
2015519495.tif 000022
【図１２（ｂ）】
2015519495.tif 000023
【図１３（ａ）】
2015519495.tif 000024
【図１３（ｂ）】
2015519495.tif 000025
【図１４】
2015519495.tif 000026
【図１５】
2015519495.tif 000027
【図１６】
2015519495.tif 000028
【図１７】
2015519495.tif 000029
【図１８】
2015519495.tif 000030
【図１９】
2015519495.tif 000031
【図２０】
2015519495.tif 000032
【図２１】
2015519495.tif 000033
【図２２】
2015519495.tif 000034
【国際調査報告】
2015519495.tif 000035
2015519495.tif 000036
2015519495.tif 000037
2015519495.tif 000038